(57)【要約】【課題】抽選を行う本人のみならず周囲の者も抽選を楽しく見物することができるとともに、景品の種類を多く増やすことができ、また、抽選媒体と景品の交換の手間を省くことのできる抽選方法を提供する。【解決手段】  生コンクリートを投入及び排出するための開口部１０ｃを上端に有する回転可能な傾胴式のドラム５を備えたアジテータ車を用いた抽選方法であって、（Ａ）開口部１０ｃを通じて、複数の抽選用物品１３をドラム５の中に投入するステップと、（Ｂ）生コンクリートの排出時の回転方向にてドラム５を回転させて、ドラム５内で複数の抽選用物品１３を開口部１０ｃに向かって徐々に移動させるステップと、（Ｃ）複数の抽選用物品１３の中の少なくとも一つを開口部１０ｃから排出させて、排出口８ｃから取り出し、抽選結果を定めるステップとを含む抽選方法。【選択図】図４
2005242626.tif 000002
【特許請求の範囲】
【請求項１】
生コンクリートを投入及び排出するための開口部を上端またはその近傍に有する回転可能な傾胴式のドラムを備えたアジテータ車を用いた抽選方法であって、
（Ａ）前記開口部を通じて、複数の抽選用物品を前記ドラムの中に投入するステップと、
（Ｂ）生コンクリートの排出時の回転方向にて前記ドラムを回転させて、前記ドラム内で前記複数の抽選用物品を前記開口部に向かって徐々に移動させるステップと、
（Ｃ）前記複数の抽選用物品の中の少なくとも一つを前記開口部から排出させて、抽選結果を定めるステップと
を含むことを特徴とするアジテータ車を用いた抽選方法。
【請求項２】
前記ドラムが、当該ドラムの外形を形成するドラム本体と、該ドラム本体の内周面の下端から上端までに亘って形成された螺旋状の羽根とからなる請求項１に記載のアジテータ車を用いた抽選方法。
【発明の詳細な説明】
【技術分野】
【０００１】
本発明は、各種イベント会場等におけるアジテータ車を用いた福引等の抽選方法に関する。
【背景技術】
【０００２】
福引の抽選方法として、新井式回転抽選機（通称、「ガラポン」、「ガラガラ」等）を用いる方法が知られている。新井式回転抽選機は、所定の厚さを有する八角形等の箱体を回転可能に支持し、該箱体の側壁に取り付けた取っ手を持って該箱体を所定の方向にゆっくりと回転させることによって、この箱体から１個の抽選玉を出し、抽選玉の色によって当選の等級を定めるように構成されたものである。
一方、生コンクリートの運搬用の車両として、アジテータ車が知られている。アジテータ車は、生コンクリートの撹拌及び排出のための回転可能な傾胴式のドラムを有し、生コンクリートの運搬の用途に専ら用いられている。アジテータ車は、生コンクリートの需要が少ない時期などにおいて稼動しない状態が続くことがあるため、生コンクリートの運搬以外の新たな用途を見出すことができれば好都合である。なお、アジテータ車の傾胴式のドラムは、通常、ドラム本体の内周面に螺旋羽根を溶着して作製される（特許文献１参照）。
【特許文献１】特開平１０−３４６４４号公報
【発明の開示】
【発明が解決しようとする課題】
【０００３】
上述の新井式回転抽選機は、福引の抽選手段として周知であり、イベント会場等で広く用いられている。しかし、新井式回転抽選機の如き抽選手段は、周知であるために来場者の大きな関心を集めることがなく、抽選を行う本人のみがその場限りで楽しむものに留まっていた。また、従来の抽選手段においては、色付きの球体等の特定の抽選媒体を用いることが多く、景品の等級を「１等〜４等」等の数種類程度に限定しなければならないことがあった。さらに、従来の抽選方法は、通常、抽選を行う本人が抽選玉等の抽選媒体を獲得した後、この抽選媒体を景品と交換するものであり、抽選媒体と景品の交換の手間を要するものであった。
そこで、本発明は、抽選を行う本人のみならず周囲の者も抽選を楽しく見物することができるとともに、景品の種類を多く増やすことができ、また、抽選媒体と景品の交換の手間を省くことのできる抽選方法を提供することを目的とする。
【課題を解決するための手段】
【０００４】
本発明者は、上記課題を解決するために鋭意検討した結果、抽選手段として、生コンクリートの運搬用のアジテータ車を用いれば、上記目的に合致する抽選方法を実現することができること、及び、生コンクリートの需要の少ない時期等におけるアジテータ車の活用の途を開くことができることを見出し、本発明を完成した。
本発明のアジテータ車を用いた抽選方法は、生コンクリートを投入及び排出するための開口部を上端またはその近傍に有する回転可能な傾胴式のドラムを備えたアジテータ車を用いた抽選方法であって、（Ａ）前記開口部を通じて、複数の抽選用物品（例えば、抽選玉、景品等）を前記ドラムの中に投入するステップと、（Ｂ）生コンクリートの排出時の回転方向にて前記ドラムを回転させて、前記ドラム内で前記複数の抽選用物品を前記開口部に向かって徐々に移動させるステップと、（Ｃ）前記複数の抽選用物品の中の少なくとも一つを前記開口部から排出させて、最先に取り出されたものを当選品とするなどして抽選結果を定めるステップとを含むことを特徴とする。
ここで、前記ドラムの一例として、当該ドラムの外形を形成するドラム本体と、該ドラム本体の内周面の下端から上端までに亘って形成された螺旋状の羽根とからなるものが挙げられる。
【発明の効果】
【０００５】
本発明の抽選方法によれば、アジテータ車という特殊な車両を抽選手段として用いることによって、イベント会場等の来場者から多大の関心を集めることができ、また、生コンクリートの排出部から抽選用物品（例えば、抽選玉、景品等）を取り出すという予想外の動作が行われることによって、周囲の見物人を楽しませることができる。
また、生コンクリートの排出部から取り出される抽選用物品として、景品との交換用の抽選玉等の抽選媒体の他、景品自体（例えば、箱入りのお菓子）や、景品を内部に収容した物（例えば、発泡スチロール製の半割の２つの成形体を組み合わせてなる保護部材の中に景品を収容してなるもの）等を用いることができる。抽選用物品が景品自体等である場合には、抽選用物品が抽選玉である場合に必要な抽選玉と景品との交換の手間を省くことができることに加えて、景品の種類を非常に多く取り揃えることができるなどの利点がある。
【発明を実施するための最良の形態】
【０００６】
以下、図面を参照して本発明を詳しく説明する。
図１は、本発明の抽選方法に用いるアジテータ車の一例を示す斜視図、図２は、アジテータ車に搭載された傾胴式のドラムの内周面に形成されている螺旋状の羽根の形状及び取り付け位置の一例を示す斜視図、図３は、図２に示す傾胴式のドラムを、Ａ−Ａ線を通る鉛直面で切断した状態を示す断面図、図４は、図３に示す傾胴式のドラム及びその周辺構造における抽選用物品の移動順序を説明するための断面図である。
【０００７】
図１中、アジテータ車１は、運転席２、車輪３、荷台４、傾胴式のドラム５、ドラム支持部６、投入部７、排出部８等を備えている。
ドラム５は、ドラム支持部６によって回転可能に支持されており、通常の使用方法（従来の生コンクリートの混練の用途）では、投入部７を通じて生コンクリートをドラム５内に投入し、排出部８を通じてドラム５から生コンクリートを排出するようになっている。具体的には、生コンクリート製造工場で製造された生コンクリートを投入部７に投入した後、ドラム５を回転させて生コンクリートを撹拌しながらアジテータ車１を運転して建設現場に向かい、建設現場に到着後、排出部８から生コンクリートを排出させてコンクリートを打設するという手順を採っている。
本発明においては、ドラム５は、生コンクリートを収容し撹拌するためのものではなく、抽選玉の如き抽選用物品を収容し、必要に応じて撹拌（混合）した後、これらの抽選用物品を１つずつ排出させるために用いられる。
【０００８】
ドラム５は、図２及び図３に示すように、ドラム支持部６（図１参照）によってＡ−Ａ線を軸線として回転可能に支持された胴部１０と、胴部１０の内周面の下端から上端までに亘って該内周面に固着して形成された螺旋状の羽根１１，１２とから構成されている。なお、胴部１０は、図３に示すように、外周壁１０ａ、底壁１０ｂ、開口部１０ｃを有しており、開口部１０ｃを通じて投入された抽選玉の如き複数の抽選用物品が、胴部１０の内部空間の下部に溜まるようになっている。
螺旋状の羽根１１は、胴部１０の内周面（外周壁１０ａの内面）の下端の円周上またはその近傍の所定の地点から、胴部１０の内周面の上端の円周上またはその近傍の所定の地点までに亘って、胴部１０の軸線（Ａ−Ａ線）を中心に螺旋状に形成された板状の突起片として、胴部１０の内周面上に固着されている。
螺旋状の羽根１２は、胴部１０の内周面（外周壁１０ａの内面）の下端の円周上またはその近傍の地点であって、螺旋状の羽根１１とは当該円周上で所定の角度（例えば、１８０度）だけ位置をずらした地点から、胴部１０の内周面の上端の円周上またはその近傍の所定の地点までに亘って、螺旋状の羽根１１と同様な螺旋状に形成された板状の突起片として、胴部１０の内周面上に固着されている。
なお、螺旋状の羽根１１，１２は、図３に示すような外周壁１０ａから断面が直線状に立ち上がる形状のものに限定されず、他の形状を有するものでもよい。例えば、板状の突起片である羽根１１，１２の上端の縁を開口部１０ｃに向けて折曲させて、外周壁１０ａから断面が略Ｌ字状に立ち上がる形状等に形成されたものでもよい。このような形態を有する螺旋状の羽根を備えたドラムは、例えば、特開２００３−１９１２２４号公報に記載されている。
【０００９】
一対の羽根１１，１２は、胴部１０の内周面にて螺旋状に形成されているため、胴部１０が所定の方向（正方向）に回転するときには、胴部１０内の収容物（抽選用物品）を開口部１０ｃから底壁１０ｂに向かう方向に移動させるように作用し、また、胴部１０が前記の反対方向（逆方向）に回転するときには、胴部１０内の収容物（抽選用物品）を底壁１０ｂから開口部１０ｃに向かう方向に移動させるように作用する。
ドラム支持部６（図１参照）は、その詳細な構造の図示は省略するが、胴部１０の前端部（底壁１０ｂの側）に配設されたドラムセンタシャフトと、胴部１０の後部（開口部１０ｃに近い部分）に装着されたドラムタイヤを受ける２個のローラとからなる３点支持の構造を有するものである。
投入部７は、抽選玉の如き抽選用物品を胴部１０内に投入するための案内路であり、両端に開口部７ａ，７ｂを有している。開口部７ａは、胴部１０の軸線に沿いかつ胴部１０の内部空間内における開口部１０ｃから適宜の深さの位置に、設けられている。開口部７ｂは、開口部７ａよりも高くかつ胴部１０の開口部１０ｃから外方（底壁１０ｂに向かう方向の反対方向）に隔てた位置に、設けられている。
排出部８は、胴部１０の開口部１０ｃを外方から覆うケーシング部分８ａと、ケーシング部分８ａから下方に延びる通路部分８ｂとが一体的に形成されたものである。胴部１０から排出される抽選玉等の抽選用物品は、通路部分８ｂを通って下方に落下し、抽選を行う者によって取り出される。
【００１０】
次に、本発明の抽選方法の手順を、図４を参照しつつ説明する。
まず、投入部７の開口部７ｂを通じてドラム５内に複数の抽選用物品１３を投入する。
抽選用物品としては、抽選玉等の抽選媒体や、景品自体や、景品を内部に収容した物等が挙げられる。
ここで、抽選玉の例としては、白玉、青玉、黄玉、赤玉等の複数種に色分けされた所定の直径を有する球体が挙げられる。なお、抽選玉の形状は、球体に限定されることがなく、ラグビーボール状、さいころ状（略立方体状）、円盤状等であってもよい。また、抽選玉の大きさも種々に変更することができる。形状や大きさの異なる種々の抽選玉を同時に用いることもできる。
景品自体の例としては、箱入りのお菓子、ぬいぐるみ、箱入りのティッシュペーパー、カップ入り即席麺等が挙げられる。なお、景品自体を抽選用物品とする場合、景品としては、ドラム５内で互いに衝突して変形したりすることのない物を選択する必要がある。例えば、アルミ缶入りの清涼飲料水は、投入の際に変形するおそれがあるため、本例における景品として不適当である。
景品を内部に収容した物の例としては、発泡スチロール製の半割の２つの成形体を組み合わせてなる保護部材の内部空間内に、トランジスタラジオ等の小型の電気製品や、缶詰等の食料品等の景品を収容してなるものが挙げられる。この場合、発泡スチロール製の２つの成形体は、ドラム５内に投入する際には紐等で締結しておき、ドラム５から排出された後に、紐等を解いて中身の景品を取り出すように構成すればよい。
【００１１】
複数の抽選用物品１３をドラム５内に投入した後、必要に応じて、ドラム５を正方向（生コンクリートの混練時の回転方向）に回転させる。それによって、ドラム５内の複数の抽選用物品１３は、掻き回され、互いの位置関係が変動する。つまり、この回転操作を行うことによって、複数の抽選用物品１３を構成する物品間の投入順序の如何にかかわらず、ドラム５内の下部に溜まった複数の抽選用物品１３同士の位置関係は、無秩序なものとなり、抽選の公平さが確保される。
本発明において、ドラム５を正方向に回転させる操作と、ドラム５を逆方向に回転させる操作とを、交互に所定の回数だけ繰返し行ってもよい。この場合、ドラム５内の複数の抽選用物品１３の位置関係の無秩序さは、さらに徹底されることになる。
【００１２】
次に、ドラム５内の複数の抽選用物品１３を開口部１０ｃに向かって移動させるために、ドラム５を逆方向（生コンクリートの排出時の回転方向）に回転させる。複数の抽選用物品１３は、１つずつ、螺旋状の羽根１１と螺旋状の羽根１２のいずれかの上に載置され、徐々に開口部１０ｃに向かって移動していく。なお、抽選用物品１３が球状の抽選玉である場合、螺旋状の羽根１１，１２の上に適宜の数（例えば、４〜５個程度）の抽選用物品１３が直列してだんご状に連なった状態で、開口部１０ｃに向かって移動していく。
【００１３】
螺旋状の羽根１１，１２の上に載置された状態で開口部１０ｃまで移動した抽選用物品１３は、開口部１０ｃから排出された後、排出部８の通路部分８ｂを通って下方に落下し、排出口８ｃから取り出される。
抽選の結果は、例えば、排出口８ｃから最先に取り出された抽選用物品１３を当選品とするなどの取り決めによって定められる。
抽選用物品１３が抽選玉である場合、抽選玉とそれに対応する景品とが交換されることによって、抽選は完了する。本発明では、排出口（丸孔）の大きさによって所定の直径に定まっている従来の色分けのみの新井式回転抽選機の抽選玉と異なり、形状や大きさの異なる多種の抽選玉を同時に用いることができるため、これら多種の抽選玉に応じた多種の景品を用意することができる。
抽選用物品１３が景品自体、または景品を収容してなる物である場合、排出口８ｃから取り出された抽選用物品１３は、そのまま景品として提供される。この場合、抽選用物品１３と景品とを交換する手間が省かれるため、景品を提供する側の労力の軽減と、景品を受け取る側の迅速な景品の入手とが同時に実現される。また、景品の種類も、最大限、景品の数と同じ数だけ用意することができる。
【図面の簡単な説明】
【００１４】
【図１】本発明の抽選方法に用いるアジテータ車の一例を示す斜視図である。
【図２】アジテータ車に搭載された傾胴式のドラムの内周面に形成されている螺旋羽根の形状及び取り付け位置の一例を示す斜視図である。
【図３】図２に示す傾胴式のドラムを、Ａ−Ａ線を通る鉛直面で切断した状態を示す断面図である。
【図４】図３に示す傾胴式のドラム及びその周辺構造における抽選用物品の移動順序を説明するための断面図である。
【符号の説明】
【００１５】
１    アジテータ車
２    運転席
３    車輪
４    荷台
５    傾胴式のドラム
６    ドラム支持部
７    投入部
７ａ，７ｂ    開口部
８    排出部
８ａ    ケーシング部分
８ｂ    通路部分
８ｃ    排出口
１０    胴部
１０ａ    外周壁
１０ｂ    底壁
１０ｃ    開口部
１１，１２    螺旋状の羽根
１３    抽選用物品
【図１】
2005242626.tif 000003
【図２】
2005242626.tif 000004
【図３】
2005242626.tif 000005
【図４】
2005242626.tif 000006